(57)【要約】【課題】基板ケースを状況に応じて最適な位置に配置可能として、遊技盤の交換による機種変更時の作業性と遊技島への設置性とを両立させることが可能な弾球遊技機を提供する。【解決手段】前枠３に対して着脱自在に装着された遊技盤１２と、遊技に関連する制御を行う制御基板と、これら制御基板を収納する基板ケース４２，４５と、制御基板と各種遊技部品とを電気的に接続する電気的接続手段とを備えた弾球遊技機で、基板ケース４２，４５を着脱自在に装着可能な装着手段４８，４９，６３，６４を複数備え、１つの装着手段６３，６４が遊技盤１２側に、他の１つの装着手段４８，４９が遊技盤１２以外の前枠３側に夫々配置され、電気的接続手段により制御基板と各種遊技部品とを接続した状態で基板ケース４２，４５を複数の装着手段４８，４９，６３，６４間で移動可能に構成している。【選択図】  図３
2004290331.tif 000002
【特許請求の範囲】
【請求項１】
前枠（３）に対して着脱自在に装着された遊技盤（１２）と、該遊技盤（１２）の上部側に向けて遊技球を発射する発射手段（１５）と、遊技に関連する制御を行う制御基板（４１）（４３）（４４）と、該制御基板（４１）（４３）（４４）を収納する基板ケース（４２）（４５）と、前記制御基板（４１）（４３）（４４）と各種遊技部品とを電気的に接続する電気的接続手段（５５ｂ）（５５ｃ）とを備えた弾球遊技機において、前記基板ケース（４２）（４５）を着脱自在に装着可能な装着手段（４８）（４９）（６３）（６４）を複数備え、少なくとも１つの装着手段（６３）（６４）が前記遊技盤（１２）側に、他の少なくとも１つの装着手段（４８）（４９）が前記遊技盤（１２）以外の前記前枠（３）側に夫々配置され、前記電気的接続手段（５５ｂ）（５５ｃ）により前記制御基板（４１）（４３）（４４）と各種遊技部品とを電気的に接続した状態で前記基板ケース（４２）（４５）を前記複数の装着手段（４８）（４９）（６３）（６４）間で移動可能に構成したことを特徴とする弾球遊技機。
【請求項２】
前記複数の装着手段（４８）（４９）（６３）（６４）のうち、前記遊技盤（１２）以外の前記前枠（３）側に配置された装着手段（４８）（４９）は、前記遊技盤（１２）側に配置された装着手段（６３）（６４）よりも前寄りの位置に設けられていることを特徴とする請求項１に記載の弾球遊技機。
【請求項３】
前記複数の装着手段（４８）（４９）（６３）（６４）は、前記遊技盤（１２）の裏側に設けられた仮止め装着手段（６３）（６４）と前記前枠（３）の裏側に設けられた本装着手段（４８）（４９）とで構成され、且つ前記電気的接続手段（５５ｂ）（５５ｃ）により少なくとも前記制御基板（４１）（４３）（４４）と前記遊技盤（１２）側の遊技部品とを電気的に接続した状態で前記基板ケース（４２）（４５）を装着可能に構成されており、前記遊技盤（１２）は前記仮止め装着手段（６３）（６４）に前記基板ケース（４２）（４５）を装着した状態で前記前枠（３）に対して着脱可能に構成されていることを特徴とする請求項１又は２に記載の弾球遊技機。
【請求項４】
前記基板ケース（４２）（４５）を前記複数の装着手段（４８）（４９）（６３）（６４）間で移動させる際に前記基板ケース（４２）（４５）を案内する案内手段（７１）を備えたことを特徴とする請求項１〜３の何れかに記載の弾球遊技機。
【発明の詳細な説明】
【０００１】
【発明の属する技術分野】
本発明は、パチンコ機、アレンジボール機、雀球遊技機等の弾球遊技機に関するものである。
【０００２】
【従来の技術】
パチンコ機等の弾球遊技機は、入賞手段、図柄表示手段、ランプ等の各種遊技部品が装着された遊技盤と、この遊技盤に向けて遊技球を発射する発射手段とを備え、開閉式の入賞手段の開閉制御、所定の入賞手段への遊技球の入賞等に基づく図柄表示手段の変動表示制御、遊技状態に応じたランプの発光制御等を主制御基板、その他の制御基板で行うことにより遊技可能となっている。
【０００３】
主制御基板等の制御基板は、夫々基板ケースに収納された状態で、遊技盤の裏側を覆う裏カバーの裏側、前枠の裏側等の適宜箇所に装着されている（例えば特許文献１参照）。
【０００４】
また、弾球遊技機で機種毎に大きく異なるのは遊技盤と遊技動作を制御する主制御基板等であるため、それ以外の機枠、発射手段、払い出し手段等については異なる機種間で共通化して、遊技盤と１又は複数の制御基板のみを交換することで、低コストで新しい機種に変更できるようにしたものもある。
【０００５】
この種の弾球遊技機では、機種変更時に遊技盤と共に交換する制御基板については遊技盤の裏側、例えば裏カバーの裏側等に装着されており、機種変更時には遊技盤側の制御基板とその他の制御基板等を接続しているハーネスのコネクタを着脱するのみで、遊技盤を機枠に対して着脱できるようになっている。
【０００６】
【特許文献１】
実用新案登録第２５４５８４２号公報
【０００７】
【発明が解決しようとする課題】
最近の弾球遊技機では、遊技盤に装着される役物等の遊技部品が大型化しており、それに伴って裏カバーも大型化して特に後側へ大きく膨出する傾向にある。従って、主制御基板等を裏カバーの裏側に装着すると、その基板ケースが裏カバーよりも更に大きく後方に突出して遊技島側の装備と干渉してしまう恐れがある。
【０００８】
一方、これを避けるために主制御基板等を遊技盤以外の機枠側に装着する場合には、機種変更時に遊技盤と主制御基板等とを個別に着脱する必要があり、ハーネスの着脱等を含めてその作業性が大きく犠牲になってしまう。
【０００９】
このように、従来の弾球遊技機では、遊技盤の交換による機種変更時の作業性を優先させると遊技島への設置性を犠牲にせざるを得ず、逆に遊技島への設置性を優先させると機種変更時の作業性を犠牲にせざるを得ないというジレンマがあった。
【００１０】
本発明は、このような従来の問題点に鑑み、基板ケースを状況に応じて最適な位置に配置可能として、遊技盤の交換による機種変更時の作業性と遊技島への設置性とを両立させることが可能な弾球遊技機を提供することを目的とする。
【００１１】
【課題を解決するための手段】
本発明は、前枠３に対して着脱自在に装着された遊技盤１２と、該遊技盤１２の上部側に向けて遊技球を発射する発射手段１５と、遊技に関連する制御を行う制御基板４１，４３，４４と、該制御基板４１，４３，４４を収納する基板ケース４２，４５と、前記制御基板４１，４３，４４と各種遊技部品とを電気的に接続する電気的接続手段５５ｂ，５５ｃとを備えた弾球遊技機において、前記基板ケース４２，４５を着脱自在に装着可能な装着手段４８，４９，６３，６４を複数備え、少なくとも１つの装着手段６３，６４が前記遊技盤１２側に、他の少なくとも１つの装着手段４８，４９が前記遊技盤１２以外の前記前枠３側に夫々配置され、前記電気的接続手段５５ｂ，５５ｃにより前記制御基板４１，４３，４４と各種遊技部品とを電気的に接続した状態で前記基板ケース４２，４５を前記複数の装着手段４８，４９，６３，６４間で移動可能に構成したものである。
【００１２】
【発明の実施の形態】
以下、本発明の実施形態を図面に基づいて説明する。図１〜図１０は本発明をパチンコ機として具現化した第１の実施形態を例示する。図１〜図３において、１は遊技機本体で、外枠２と、この外枠２に開閉自在に枢着された前枠３とを有する。４はガラス扉、５は前面板で、これらは前枠３の窓孔６に対応して上下に配置され、前枠３に開閉自在に枢支されている。
【００１３】
７は発射用の遊技球を貯留する上皿で、前面板５の前側に装着され、上皿カバー８により覆われている。また、９は余剰球等を貯留する下皿、１０は灰皿で、これらは前面板５の下側で前枠３の前側に左右に配置され、下皿カバー１１により覆われている。１２は遊技盤で、前枠３の窓孔６に対応するように、前枠３の裏側の遊技盤装着枠１３に裏側から着脱自在に装着されている。
【００１４】
１５は発射手段で、下皿９の一側で前枠３の前側に設けられた発射ハンドル１６と、前面板５の後方に配置された発射レール１７と、前枠３の裏側に配置された発射モータ１８及び打撃槌１９等を備え、発射ハンドル１６を操作したときに、発射モータ１８により打撃槌１９が作動して、前面板５の裏側に装着された図外の球送り手段により上皿７から発射レール１７上に１個ずつ供給される遊技球を遊技盤１２の上部側に発射させるようになっている。
【００１５】
発射ハンドル１６、発射モータ１８、打撃槌１９等は、取り付け板２０を介して前枠３の裏面側に着脱可能に装着されている。また、例えば発射モータ１８の裏側には、発射手段１５を制御する発射制御基板２１が、基板ケース２２に収納された状態で着脱自在に装着されている。
【００１６】
遊技盤１２には、発射手段１５により発射された遊技球を案内するガイドレール２３が略環状に装着されると共に、そのガイドレール２３の内側の遊技領域２４に普通図柄表示手段２５、特別図柄表示手段２６、普通図柄始動手段２７、特別図柄始動手段２８、大入賞手段２９、普通入賞手段３０等の各種遊技部品が配置されている。
【００１７】
普通図柄表示手段２５は、１個又は複数個、例えば１個の普通図柄を表示可能な例えば７セグメント等の表示手段により構成され、通過ゲート等よりなる普通図柄始動手段２７が遊技球を検出することを条件に、普通図柄が乱数制御により所定時間変動して停止するようになっている。
【００１８】
特別図柄始動手段２８は、遊技者に有利な開状態と不利な閉状態とに変換可能な電動チューリップ等の開閉式入賞手段により構成されており、普通図柄表示手段２５の変動後の停止図柄が予め定められた当たり図柄を表示したことを条件に所定時間開放するようになっている。
【００１９】
特別図柄表示手段２６は、１個又は複数個、例えば左右方向に３個の特別図柄を表示可能な例えば液晶表示手段により構成され、特別図柄始動手段２８が遊技球を検出することを条件に、各特別図柄が乱数制御により所定時間変動して停止するようになっている。
【００２０】
大入賞手段２９は、いわゆるアタッカーを構成するもので、遊技者に有利な開状態と不利な閉状態とに変換可能な開閉式入賞手段により構成されており、特別図柄表示手段２６の変動後の停止図柄が予め定められた特定の大当たり図柄を表示したことを条件に開放するようになっている。
【００２１】
前枠３の裏側には、図２に示すように、遊技盤装着枠１３に装着された遊技盤１２を裏側から押さえて固定する裏機構板３１が、左右一端側のヒンジ３１ａを介して開閉自在に装着されている。裏機構板３１には、遊技盤１２の裏側の裏カバー３２が嵌合する開口部３３が形成され、その上側に遊技球タンク３４及びタンクレール３５が、左右方向の一側に払い出し手段３６が、下側に通路ユニット３７が夫々設けられている。
【００２２】
遊技球タンク３４は、遊技島側の遊技球補給系から補給された遊技球を貯留して、タンクレール３５を経て払い出し手段３６側へと供給するためのものである。払い出し手段３６は、賞球、貸球の払い出し指令があったときに、遊技球タンク３４からタンクレール３５を経て供給される遊技球を払い出すためのもので、裏機構板３１の裏側に着脱自在に装着されている。通路ユニット３７は、払い出し手段３６により払い出された遊技球を上皿７へと案内し、また上皿７の遊技球が満杯状態のときに、余剰球を下皿９へと案内するようになっている。
【００２３】
なお、払い出し手段３６を制御する払い出し制御基板３８は、基板ケース３８ａに収納された状態で前枠３の裏側の所定位置、例えば払い出し手段３６に着脱自在に装着されている。
【００２４】
裏カバー３２は、遊技盤１２に装着された特別図柄表示手段２６等の遊技部品を裏側から覆うためのもので、前側が開放した箱形に形成され、遊技盤１２の裏側に着脱可能に固定されている。なお、普通図柄表示手段２５、特別図柄表示手段２６等の表示制御を行う図柄制御基板３９は、図３に示すように例えば裏カバー３２の内部に配置され、特別図柄表示手段２６を構成する液晶ユニット２６ａの裏側等に固定されている。
【００２５】
裏カバー３２の下側には、遊技盤１２と平行な平板状の基板ケース取付板４０が配置され、取付支持部４０ａを介して裏機構板３１の裏側に着脱自在に装着されている。この基板ケース取付板４０の裏側には、図２，図３，図５等に示すように、主に遊技盤１２側の遊技動作を制御する主制御基板４１を収納する主基板ケース４２と、スピーカからの効果音等の出力を制御する音声制御基板４３及び遊技盤１２や前枠３の前側等に設けられた各種ランプの発光制御を行うランプ制御基板４４を収納する音声ランプ基板ケース４５と、電源基板４６を格納する電源基板ケース４７とが、夫々装着手段４８〜５０を介して着脱自在に装着されている。
【００２６】
このように、基板ケース取付板４０の裏側が、基板ケース４２，４５等を保持する第１保持位置Ａ１となっている。なお、装着手段４８，４９が本装着手段の一例である。
【００２７】
主基板ケース４２等の各基板ケースは、図４に示すように、例えば前側が開放した略矩形箱形の第１ケース５１と、その第１ケース５１の前側を略閉鎖するように第１ケース５１に対して着脱自在に固定される略平板状の第２ケース５２とで構成されており、内部に収納した制御基板４１等を第１ケース５１と第２ケース５２との間に挟み込んだ状態で固定するようになっている。第１ケース５１側には、制御基板側のコネクタ５３を外部に露出させるための結線用開口部５４が１又は複数設けられており、他の制御基板等と電気的に接続するためのハーネス（電気的接続手段）５５側のコネクタ５６がこの結線用開口部５４を介して制御基板側のコネクタ５３に接続されるようになっている。
【００２８】
また、主基板ケース４２には、開封時の痕跡が残るように構成された防犯用の封止手段５７が１又は複数組、例えば２組設けられている。各封止手段５７は夫々複数個の封止具により構成されており、その１個の封止具により主基板ケース４２を封止しておき、監督官庁等の検査機関による検査の際には、その封止具を損壊して主基板ケース４２を開封し、検査後に他の１個の封止具で主基板ケース４２を再度封止し、検査履歴を主基板ケース４２の所要部位に記録することにより、主制御基板４１のＲＯＭを交換する等の不正行為を目的とした開封の有無が容易に判断できるようになっている。
【００２９】
基板ケース取付板４０は、図３に示すように、裏カバー３２の裏面３２ａよりも前寄りの位置に配置されており、例えば、その裏側に装着された主基板ケース４２、音声ランプ基板ケース４５等の裏面と裏カバー３２の裏面３２ａとが略面一となっている。もちろん、基板ケース側の裏面が裏カバー３２の裏面３２ａよりも後方に若干突出してもよいが、基板ケース側の裏面が裏カバー３２の裏面３２ａと略面一となるか、若干前寄りに配置されることが望ましい。
【００３０】
主基板ケース４２、音声ランプ基板ケース４５、及び電源基板ケース４７を装着するための装着手段４８〜５０は、基板ケース取付板４０の裏面側に設けられており、夫々、例えば基板ケース４２，４５，４７の左右方向一端側に対応して設けられた１又は複数の係合受け部６１と、同じく左右方向他端側に対応して設けられた１又は複数の係止部６２とで構成されている。
【００３１】
係合受け部６１は、図５，図６に示すように、例えば基板ケース４２，４５，４７の左右方向一端側に突起状に設けられた１又は複数の係合片４２ａ，４５ａ，４６ａを左右方向一方側（係止部６２側）から嵌合可能に構成され、例えば基板ケース取付板４０に一体的に形成されている。
【００３２】
係止部６２は、図５，図６に示すように、基板ケース４２，４５，４７の左右方向他端側に例えば突起状に設けられた１又は複数の固定片４２ｂ，４５ｂ，４６ｂを後側から嵌合可能に構成された係止受け部６２ａと、この係止受け部６２ａに嵌合した固定片４２ｂ，４５ｂ，４６ｂの後側に係脱自在に係合する係止つまみ６２ｂとで構成されている。なお、係止受け部６２ａは例えば基板ケース取付板４０に一体的に形成され、係止つまみ６２ｂは例えば基板ケース取付板４０に対して前後方向の軸廻りに回転可能に装着されている。
【００３３】
基板ケース４２，４５，４７を基板ケース取付板４０に取り付ける際には、図６に示すように、まず基板ケース４２，４５，４７側の係合片４２ａ，４５ａ，４６ａを基板ケース取付板４０側の係合受け部６１に対して左右方向一方側から嵌合させ（図６（ａ））、その状態で基板ケース４２，４５，４７側の固定片４２ｂ，４５ｂ，４６ｂを基板ケース取付板４０側の係止受け部６２ａに後側から嵌合させ、更に基板ケース取付板４０側の係止つまみ６２ｂを回転させて固定片４２ｂ，４５ｂ，４６ｂの後側に係合させればよい（図６（ｂ））。基板ケース４２，４５，４７を基板ケース取付板４０から取り外す際にはその全く逆の操作を行えばよい。
【００３４】
このように、装着手段４８〜５０は、基板ケース４２，４５，４７を、上下方向の移動を伴うことなく、即ち左右方向及び前後方向の移動のみで着脱可能となっているため、基板ケース取付板４０の上側にこの基板ケース取付板４０よりも後方に突出した裏カバー３２があるにも拘わらず、限られたスペースで基板ケース４２，４５，４７を着脱することが可能となっている。
【００３５】
なお、装着手段４８と装着手段４９とは上下又は左右、例えば上下に配置されており、装着手段４８に装着された主基板ケース４２と装着手段４９に装着された音声ランプ基板ケース４５とが例えば上下に隣接して配置されるようになっている。また、主基板ケース４２に収納された主制御基板４１と音声ランプ基板ケース４５に収納された音声制御基板４３及び／又はランプ制御基板４４とは、主基板ケース４２と音声ランプ基板ケース４５との互いに隣接する位置に設けられた結線用開口部５４ａ，５４ｂを介してハーネス５５ａにより互いに電気的に接続されている。
【００３６】
また、主制御基板４１には、裏カバー３２側の結線用開口部５８（図８参照）を介して遊技盤１２側から引き出されたハーネス５５ｂが主基板ケース４２側の結線用開口部５４ｃを介して接続され、音声制御基板４３及び／又はランプ制御基板４４には、裏カバー３２側の結線用開口部５８を介して遊技盤１２側から引き出されたハーネス５５ｃが音声ランプ基板ケース４５側の結線用開口部５４ｄを介して接続されている。
【００３７】
更に、主制御基板４１、音声制御基板４３、ランプ制御基板４４は、主基板ケース４２側の結線用開口部５４ａ、音声ランプ基板ケース４５側の結線用開口部５４ｂ等を介して電源基板４６、その他の基板に通じるハーネス５５ｄ，５５ｅが接続されている。
【００３８】
裏カバー３２の裏面３２ａは、基板ケース４２，４５を保持する第２保持位置Ａ２となっており、図２，図３，図８等に示すように、主基板ケース４２、音声ランプ基板ケース４５を夫々装着可能な仮止め装着手段６３，６４が設けられている。この仮止め装着手段６３，６４は、例えば遊技盤１２の交換により機種変更等を行う場合に、この遊技盤１２と共に交換する主制御基板４１、音声制御基板４３及びランプ制御基板４４が収納された主基板ケース４２、音声ランプ基板ケース４５を裏カバー３２の裏側に仮止め装着するためのもので、例えば基板ケース４２，４５側の左右の係合片４２ａ，４５ａ、固定片４２ｂ，４５ｂを上側から嵌合可能な左右一対の仮止め係合受け部６５を、基板ケース４２，４５側の係合片４２ａ，４５ａ、固定片４２ｂ，４５ｂに対応するように上下方向に１又は複数組備えている。
【００３９】
１又は複数組の仮止め係合受け部６５のうちの少なくとも１組、例えば最上部側の仮止め係合受け部６５には、仮止め係合受け部６５に係合した係合片４２ａ，４５ａ、固定片４２ｂ，４５ｂの上側に係脱自在に係合する係合爪６５ａが例えば一体に設けられている。
【００４０】
基板ケース４２，４５を裏カバー３２の裏面３２ａに取り付ける際には、図７に示すように、基板ケース４２，４５側の係合片４２ａ，４５ａ、固定片４２ｂ，４５ｂを裏カバー３２側の仮止め係合受け部６５に対して上側から下向きにスライドさせつつ嵌合させればよい（図７（ａ）→（ｂ））。係合片４２ａ，４５ａ、固定片４２ｂ，４５ｂが仮止め係合受け部６５に完全に嵌合すると、係合爪６５ａが係合片４２ａ，４５ａ、固定片４２ｂ，４５ｂの上側に係合して、基板ケース４２，４５は仮止め装着手段６３，６４を介して裏カバー３２の裏面３２ａに固定される（図７（ｂ），図８））。基板ケース４２，４５を裏カバー３２の裏面３２ａから取り外す際には、左右の係合爪６５ａを操作して係合片４２ａ，４５ａ、固定片４２ｂ，４５ｂとの係合を解いた状態で、基板ケース４２，４５を上向きにスライドさせればよい。
【００４１】
また、主制御基板４１側と遊技盤１２側とを接続するハーネス５５ｂは、主基板ケース４２を裏カバー３２側の仮止め装着手段６３、基板ケース取付板４０側の装着手段４８のどちらに装着した場合にも両者を接続できる長さに形成されている。同様に、音声制御基板４３及び／又はランプ制御基板４４と遊技盤１２側とを接続するハーネス５５ｃについても、音声ランプ基板ケース４５を裏カバー３２側の仮止め装着手段６４、基板ケース取付板４０側の装着手段４９のどちらに装着した場合にも両者を接続できる長さに形成されている。
【００４２】
これにより、主基板ケース４２と音声ランプ基板ケース４５とは、その内部に収納した制御基板４１，４３，４４と遊技盤１２側とをハーネス５５ｂ、５５ｃを介して電気的に接続した状態のままで、裏カバー３２側の仮止め装着手段６３，６４と基板ケース取付板４０側の装着手段４８，４９との間を移動させることが可能である。
【００４３】
更に、仮止め装着手段５３，５４の相対位置関係は、装着手段４８，４９の相対位置関係と略同じとなっている。これにより、主基板ケース４２と音声ランプ基板ケース４５とを、互いの接続状態、即ち主制御基板４１と音声制御基板４３、主制御基板４１とランプ制御基板４４との間のハーネス５５ａによる電気的接続状態を保ったままで、裏カバー３２側の仮止め装着手段５３，５４と基板ケース取付板４０側の装着手段４８，４９との間を移動させることができる。
【００４４】
以上のようなパチンコ機において、例えば遊技盤１２の交換により機種変更を行う場合には、まず前枠３を前側に開放し、主制御基板４１、音声制御基板４３、ランプ制御基板４４と遊技盤１２側との電気的接続状態はそのままにして、例えば遊技盤１２以外の基板等（例えば電源基板４６）と接続しているハーネス５５ｄ，５５ｅ等を取り外してそれらとの間の電気的接続状態を解除する。
【００４５】
そして、上述した手順に従って、主基板ケース４２と音声ランプ基板ケース４５とを基板ケース取付板４０側の装着手段４８，４９から取り外した後、裏カバー３２側の仮止め装着手段５３，５４に装着する（図９（ａ））。
【００４６】
その後、裏機構板３１を後側に開いて遊技盤１２の固定を解除し、遊技盤１２を主基板ケース４２、音声ランプ基板ケース４５等を共に遊技盤装着枠１３から後側に取り外す（図９（ｂ））。
【００４７】
新しい遊技盤１２については、図８に実線で示すように、予め主基板ケース４２と音声ランプ基板ケース４５とを裏カバー３２側の仮止め装着手段５３，５４に装着し、且つその内部に収納した主制御基板４１、音声制御基板４３、ランプ制御基板４４と遊技盤１２側とをハーネス５５ｂ，５５ｃ等により電気的に接続した状態、即ち前枠３から取り外したときの古い遊技盤１２と同じ状態にしておく。なお、新しい遊技盤１２は、予め製造工場等でこのような状態にした上で、実際に遊技盤１２の交換作業を行う現場（遊技ホール）に搬送するようにすれば、遊技盤１２と基板ケース４２，４５とを別々に搬送する場合と比較して効率的である。
【００４８】
そして、この新しい遊技盤１２を、古い遊技盤１２が取り外された後の遊技盤装着枠１３に裏側から嵌め込む（図１０（ａ））。その後、裏機構板３１を閉じて遊技盤１２を固定した後、主制御基板４１、音声制御基板４３、ランプ制御基板４４と遊技盤１２側との電気的接続状態はそのままにして、主基板ケース４２と音声ランプ基板ケース４５とを裏カバー３２側の仮止め装着手段５３，５４から取り外し、基板ケース取付板４０側の装着手段４８，４９に装着する（図１０（ｂ））。最後に、遊技盤１２以外の基板等（例えば電源基板４６）に接続されているハーネス５５ｄ，５５ｅ等を主制御基板４１、音声制御基板４３、ランプ制御基板４４に接続すればよい。
【００４９】
以上説明したように、本実施形態では、基板ケース４２，４５を保持可能な複数の保持位置Ａ１，Ａ２を備え、少なくとも１つの第２保持位置Ａ２が遊技盤１２の後部に、他の１つの第１保持位置Ａ１がその第２保持位置Ａ２とは異なる位置、例えば遊技盤１２の下側に配置され、ハーネス（電気的接続手段）５５ｂ，５５ｃにより制御基板４１，４３，４４と遊技部品とを電気的に接続した状態で基板ケース４２，４５を複数の保持位置Ａ１，Ａ２間で移動可能に構成しているため、例えば遊技盤１２の交換により機種変更を行う場合に、遊技盤１２の着脱の際には基板ケース４２，４５を第２保持位置Ａ２で保持させ、その前後の使用時には基板ケース４２，４５を第１保持位置Ａ１で保持させるなど、遊技盤の交換による機種変更時の作業性を維持しつつ、基板ケース４２，４５を状況に応じて最適な位置に配置することが可能となる。
【００５０】
また、複数の保持位置Ａ１，Ａ２のうち、遊技盤１２の後部以外の所定位置に配置された保持位置Ａ１は、遊技盤１２の後部に配置された保持位置Ａ２よりも前寄りの位置に設けられているため、基板ケース４２，４５を第１保持位置Ａ１で保持させたときの後方への突出量を小さくすることができ、遊技盤の交換による機種変更時の作業性を維持しつつ、遊技島への設置性が向上する利点がある。
【００５１】
基板ケース４２，４５を着脱自在に装着可能な装着手段４８，４９，６３，６４を、複数の保持位置Ａ１，Ａ２に個別に設け、基板ケース４２，４５をそれら複数の装着手段４８，４９，６３，６４に択一的に装着可能としているため、基板ケース４２，４５を状況に応じて容易に配置換えすることができる。
【００５２】
複数の装着手段４８，４９，６３，６４は、遊技盤１２の裏側に設けられた仮止め装着手段６３，６４と前枠３の裏側に設けられた本装着手段４８，４９とで構成され、且つハーネス５５ｂ，５５ｃにより少なくとも制御基板４１，４３，４４と遊技盤１２側の遊技部品とを電気的に接続した状態で基板ケース４２，４５を装着可能に構成されており、遊技盤１２は仮止め装着手段６３，６４に基板ケース４２，４５を装着した状態で前枠３に対して着脱可能となっているため、基板ケース４２，４５を、その内部に収納した制御基板４１，４３，４４と遊技盤１２側とをハーネス５５ｂ、５５ｃを介して電気的に接続した状態のままで、裏カバー３２側の仮止め装着手段６３，６４と基板ケース取付板４０側の本装着手段４８，４９との間を移動させることが可能である。
【００５３】
これにより、例えば遊技盤１２の交換により機種変更を行う場合には、新たに装着する遊技盤１２の仮止め装着手段６３，６４に基板ケース４２，４５を装着し、制御基板４１，４３，４４と遊技盤１２側とをハーネス５５ｂ、５５ｃを介して予め接続しておけば、機種変更の現場（遊技ホール）では、新しい遊技盤１２を装着した後、ハーネス５５ｂ、５５ｃを接続した状態で基板ケース４２，４５を本装着手段４８，４９に移動させるだけでよく、機種変更の現場（遊技ホール）で制御基板４１，４３，４４と遊技盤１２側とをハーネス５５ｂ、５５ｃで接続する必要がなく、効率的に作業を行うことができる。
【００５４】
図１１は本発明の第２の実施形態を例示し、基板ケース４２，４５を複数の保持位置Ａ１，Ａ２間で移動させる際に基板ケース４２，４５を案内する案内手段７１を設けた例を示している。
【００５５】
本実施形態では、第１の実施形態と同様、裏カバー３２の下側に第１保持位置Ａ１が、裏カバー３２の裏面３２ａに第２保持位置Ａ２が夫々設けられている。主基板ケース４２と音声ランプ基板ケース４５とは、１つの装着板７２の裏側に着脱自在に装着されており、第１保持位置Ａ１，第２保持位置Ａ２間を移動させる際には、この装着板７２を介して案内手段７１により案内されるようになっている。
【００５６】
案内手段７１は、装着板７２の左右両側に配置された一対のリンクアーム７３を、例えば上下に２組備えている。各リンクアーム７３は、その一端側７３ａが遊技盤１２側の例えば裏カバー３２の側面に横軸廻りに回動自在に接続され、他端側７３ｂが装着板７２側に横軸廻りに回動自在に接続されており、装着板７２に装着された基板ケース４２，４５が第１保持位置Ａ１で保持された状態（図１１に実線で示した状態）と第２保持位置Ａ２で保持された状態（図１１に二点鎖線で示した状態）との間で揺動自在となっている。
【００５７】
また、主基板ケース４２と音声ランプ基板ケース４５とは、装着手段４８により第１保持位置Ａ１に、仮止め装着手段６３により第２保持位置Ａ２に、夫々着脱自在に固定されるようになっている。
【００５８】
装着手段４８は、例えば装着板７２側の係合爪７２ａが後側から着脱自在に係合可能な突起状、開口状等の係合受け部４８ａを備え、例えば裏機構板３１に一体に形成されている。また仮止め装着手段６３も、例えば装着板７２側の係合爪７２ａが後側から着脱自在に係合可能な突起状、開口状等の係合受け部６３ａを備え、例えば裏カバー３２に一体に形成されている。
【００５９】
その他の構成、例えば各基板ケース４２，４５等の形状やハーネス５５ａ，５５ｂ，５５ｃ等の接続等については第１の実施形態と同様とすればよい。
【００６０】
このような構成とすることにより、例えば遊技盤１２の交換により機種変更を行う場合に、各基板ケース４２，４５を第１保持位置Ａ１と第２保持位置Ａ２との間で移動させる際の作業をより容易且つ確実に行うことが可能となる。
【００６１】
図１２及び図１３は本発明の第３の実施形態を例示し、基板ケース４２，４５に、折り畳み可能な装着脚７４を設け、遊技盤１２側の保持位置Ａ２に装着する場合には、その装着脚７４を前側に立てた状態で遊技盤１２の裏カバー３２を跨ぐように遊技盤１２側に固定し、前枠３側の保持位置Ａ１に装着する場合には、その装着脚７４を折り畳んだ状態で前枠３側に固定するようにした例を示している。
【００６２】
図１２に示すように、基板ケース４２，４５には、例えばその前面側の左右両側に、縦軸廻りに揺動自在の装着脚７４が設けられている。この装着脚７４は、基板ケース４２，４５の左右の側縁部に沿う略板状に形成され、基板ケース４２，４５の前面側に沿う収納状態（図１２に実線で示す）と、基板ケース４２，４５の前面側に対して前側に略垂直となる使用状態（図１２に二点鎖線で示す）との間で揺動可能となっている。
【００６３】
遊技盤１２の裏側には、図１３に示すように、裏カバー３２の左右両側に仮止め装着手段６３，６４が設けられている。これら仮止め装着手段６３，６４は、例えば使用状態にある装着脚７４の前縁部が嵌合可能な断面略コの字型に形成されており、装着脚７４側の開口状等の係合受け部７４ａに係脱自在に係合する係合爪７５が例えば一体に設けられている。
【００６４】
基板ケース４２，４５を遊技盤１２側に装着する場合には、装着脚７４を前向きに立てて使用状態とし、その前縁部を仮止め装着手段６３，６４に後側から嵌合させ、係合爪７５を係合受け部７４ａに係合させて固定すればよい。基板ケース４２，４５を遊技盤１２側から取り外す際には、係合爪７５を操作して係合受け部７４ａへの係合を解除し、そのまま後方へ引き抜けばよい。このように、遊技盤１２の裏側で且つ裏カバー３２の後側が本実施形態における第２保持位置Ａ２となっている。
【００６５】
また、基板ケース４２，４５には、第１の実施形態と同様の係合片４２ａ，４５ａ、固定片４２ｂ，４５ｂが設けられており、第１保持位置Ａ１に装着する場合には、装着脚７４を折り畳んで収納状態とした上で、第１の実施形態と同様の装着手段４８，４９（係合受け部６１及び係止部６２）により着脱自在に固定することができる（図示省略）。
【００６６】
このように、基板ケース４２，４５に折り畳み可能な装着脚７４を設け、遊技盤１２側の保持位置Ａ２に装着する場合には、その装着脚７４を前側に立てた状態で遊技盤１２の裏カバー３２を跨ぐように遊技盤１２側に固定し、前枠３側の保持位置Ａ１に装着する場合には、その装着脚７４を折り畳んだ状態で前枠３側に固定するように構成すれば、裏カバー３２を基板ケース４２，４５の仮止めが可能な形状とする必要がなく、裏カバー３２の形状の自由度を大きくできる。逆に言えば、裏カバー３２がどのような形状であっても、基板ケース４２，４５を遊技盤１２側に仮止め装着することが可能となる。
【００６７】
以上、本発明の実施形態について説明したが、本発明はこの実施形態に限定されるものではない。例えば、複数の保持位置Ａ１，Ａ２に保持可能な基板ケースは、主基板ケース４２と音声ランプ基板ケース４５とに限られるものではなく、主基板ケース４２のみでもよいし、その他の基板ケースでもよいが、遊技盤１２の交換時にこの遊技盤１２と共に交換する制御基板の基板ケースとすることが望ましい。
【００６８】
第２保持位置Ａ２に保持された基板ケースは、その一部が遊技盤１２と前後方向に重なってもよい。
【００６９】
本装着手段４８，４９は、裏機構板３１とは別の例えば遊技盤装着枠１３等に設けてもよい。また、仮止め装着手段６３，６４は、遊技盤１２に直接設けてもよい。
【００７０】
保持位置を１つの基板ケースに対して３カ所以上設け、例えば遊技島側の状況に応じて最適な位置に基板ケースを装着するようにしてもよい。
【００７１】
第２の実施形態の場合、基板ケース４２，４５が第１保持位置Ａ１にある状態と第２保持位置Ａ２にある状態とで夫々案内手段７１の揺動を規制する揺動規制手段を設ければ、案内手段７１により基板ケース４２，４５を保持位置Ａ１，Ａ２において保持することができる。また、案内手段７１は基板ケース毎に個別に設けてもよい。
【００７２】
本装着手段４８，４９、及び／又は仮止め装着手段６３，６４を、大きさが異なる複数種類の基板ケースに対応可能に構成してもよい。例えば、仮止め装着手段６３，６４を構成する仮止め係合受け部６５のうちの左右何れか一方を他方に対して移動（例えばスライド）可能にしてもよいし、仮止め係合受け部６５を左右の間隔が異なる複数組設けて択一的に装着可能としてもよい。本装着手段４８側も同様である。
【００７３】
更に、実施形態ではパチンコ機を例に挙げて説明したが、アレンジボール機、雀球遊技機等のその他の弾球遊技機でも同様に実施可能であることは言うまでもない。
【００７４】
【発明の効果】
本発明によれば、前枠３に対して着脱自在に装着された遊技盤１２と、該遊技盤１２の上部側に向けて遊技球を発射する発射手段１５と、遊技に関連する制御を行う制御基板４１，４３，４４と、該制御基板４１，４３，４４を収納する基板ケース４２，４５と、制御基板４１，４３，４４と各種遊技部品とを電気的に接続する電気的接続手段５５ｂ，５５ｃとを備えた弾球遊技機において、基板ケース４２，４５を着脱自在に装着可能な装着手段４８，４９，６３，６４を複数備え、少なくとも１つの装着手段６３，６４が遊技盤１２側に、他の少なくとも１つの装着手段４８，４９が遊技盤１２以外の前枠３側に夫々配置され、電気的接続手段５５ｂ，５５ｃにより制御基板４１，４３，４４と各種遊技部品とを電気的に接続した状態で基板ケース４２，４５を複数の装着手段４８，４９，６３，６４間で移動可能に構成しているため、基板ケースを状況に応じて最適な位置に配置可能として、遊技盤の交換による機種変更時の作業性と遊技島への設置性とを両立させることが可能となる。
【図面の簡単な説明】
【図１】本発明の第１の実施形態を示すパチンコ機の正面図である。
【図２】本発明の第１の実施形態を示すパチンコ機の背面図である。
【図３】本発明の第１の実施形態を示すパチンコ機の側面図である。
【図４】本発明の第１の実施形態を示す主基板ケースの断面図である。
【図５】本発明の第１の実施形態を示す第１保持位置の裏面図である。
【図６】本発明の第１の実施形態を示す第１保持位置における装着手段への基板ケースの装着手順の説明図である。
【図７】本発明の第１の実施形態を示す第２保持位置における装着手段への基板ケースの装着手順の説明図である。
【図８】本発明の第１の実施形態を示す遊技盤の裏面側の斜視図である。
【図９】本発明の第１の実施形態を示す機種変更時の遊技盤の取り外し手順の説明図である。
【図１０】本発明の第１の実施形態を示す機種変更時の遊技盤の取り付け手順の説明図である。
【図１１】本発明の第２の実施形態を示す遊技盤の側面図である。
【図１２】本発明の第３の実施形態を示す基板ケースの斜視図である。
【図１３】本発明の第３の実施形態を示す基板ケースを装着した状態での遊技盤の斜視図である。
【符号の説明】
３    前枠
１２    遊技盤
１５    発射手段
４１    主制御基板（制御基板）
４２    主基板ケース（基板ケース）
４３    音声制御基板（制御基板）
４４    ランプ制御基板（制御基板）
４５    音声ランプ基板ケース（基板ケース）
４８    本装着手段
４９    本装着手段
５５ｂ  ハーネス（電気的接続手段）
５５ｃ  ハーネス（電気的接続手段）
６３    仮止め装着手段
６４    仮止め装着手段
７１    案内手段
【図１】
2004290331.tif 000003
【図２】
2004290331.tif 000004
【図３】
2004290331.tif 000005
【図４】
2004290331.tif 000006
【図５】
2004290331.tif 000007
【図６】
2004290331.tif 000008
【図７】
2004290331.tif 000009
【図８】
2004290331.tif 000010
【図９】
2004290331.tif 000011
【図１０】
2004290331.tif 000012
【図１１】
2004290331.tif 000013
【図１２】
2004290331.tif 000014
【図１３】
2004290331.tif 000015